(57)【要約】【課題】  量水器とその二次側の逆止弁とを一つの架台に設置した量水器ユニットについて、量水器を取り外すことなく逆止弁を着脱し保守・点検や交換が簡単且つ容易に行なえるようにする。【解決手段】  逆止弁Ｃを保持部材３４の取付孔３６に嵌脱可能に嵌め込む。  配管に接続される固定用管５４と量水器の二次側端部を結合する結合端部５５とを互いに反対方向に突設し且つ装着孔５３を取付本体５２に設けた取付部材５１を、架台のブラケット３の差込孔３Ａに固定用管５４を貫通させてナット５６を締込むことによりブラケット３に固定する。  装着孔５３は架台の反対側へ向かって開放し、そこへ逆止弁Ｃの弁口１６を結合端部へ向け流出口１９Ａを固定用管５４へ向けて保持部材３４を嵌脱可能に嵌め込んだ。【選択図】      図４
2005282162.tif 000002
【特許請求の範囲】
【請求項１】
量水器とその二次側に配置したカートリッジ構造の逆止弁とが一つの架台に設置されている配管設備の量水器ユニットにおいて、
取付孔を有し前記逆止弁を前記取付孔に嵌脱可能に嵌め込んだ保持部材と、
装着孔を有し前記保持部材を前記装着孔に嵌脱可能に嵌め込んでいるとともに前記架台に固定されて前記量水器の二次側端部を結合した取付部材と、
を具え、前記装着孔は前記量水器の一次側端部および二次側端部の各中心を通る量水器中心線と交叉する方向に設けられていて前記保持部材が前記逆止弁と一体に前記交叉方向に嵌脱されるものとした、
ことを特徴とする量水器ユニット。
【請求項２】
量水器とその一次側に配置したカートリッジ構造の定流量弁および二次側に配置したカートリッジ構造の逆止弁とが一つの架台に設置されている配管設備の量水器ユニットにおいて、
取付孔を有し前記定流量弁を前記取付孔に嵌脱可能に嵌め込んだ第一の保持部材、および取付孔を有し前記逆止弁を前記取付孔に嵌脱可能に嵌め込んだ第二の保持部材と、
装着孔を有し前記第一の保持部材を前記装着孔に嵌脱可能に嵌め込んでいるとともに前記架台に固定されて前記量水器の一次側端部を結合した第一の取付部材、および装着孔を有し前記第二の保持部材を前記装着孔に嵌脱可能に嵌め込んでいるとともに前記架台に固定されて前記量水器の二次側端部を結合した第二の取付部材と、
を具え、前記各装着孔は前記量水器の一次側端部および二次側端部の各中心を通る量水器中心線と交叉する方向に設けられていて前記第一および第二の保持部材が前記定流量弁および前記逆止弁とそれぞれ一体に前記交叉方向に嵌脱されるものとした、
ことを特徴とする量水器ユニット。
【請求項３】
前記取付部材の装着孔は前記量水器中心線に対して直交方向または傾斜方向に形成され、前記架台の反対側へ向かって開放している請求項１または２に記載した配管設備の量水器ユニット。
【請求項４】
前記逆止弁が嵌め込まれた保持部材を嵌め込んだ取付部材は、前記架台に直立して設けられたブラケットを貫通して前記取付部材を前記ブラケットに固定させる固定用管、および前記量水器の二次側端を結合する結合端部を有している請求項１，２または３に記載した配管設備の量水器ユニット。
【請求項５】
前記定流量弁が嵌め込まれた保持部材を嵌め込む取付部材は、前記架台に直立して設けられたブラケットを貫通して前記取付部材を前記ブラケットに固定させる固定用管、および前記量水器の一次側端部を結合する結合端部を有している請求項２または３に記載した配管設備の量水器ユニット。
【発明の詳細な説明】
【技術分野】
【０００１】
本発明は主に集合住宅において戸別給水のために設置される配管設備の量水器ユニットに関し、詳しくは量水器や配管を取り外すことなく逆止弁更には定流量弁の着脱を行なうことができるようにした量水器ユニットに関するものである。
【背景技術】
【０００２】
例えば集合住宅の一住戸毎に個別給水を行なう配管設備は、制御用機器である止水栓、減圧弁、逆止弁と、計測用機器である量水器とを配管に組込んだ構成とされ、量水器の一次側に止水栓、減圧弁および場合によっては定流量弁が配置され、二次側に逆止弁が設置されている。
【０００３】
前記の各機器の内で、少なくとも量水器と逆止弁とは一つの架台に設置され、量水器ユニットとしてパイプシャフトの床に固定される。  即ち、量水器とその二次側に配置した逆止弁とを一つの架台に設置した量水器ユニットが例えば特開２００２−１３１０９７号公報、特開２００２−３１７４７３号公報、特開２００３−２３２０５５号公報に記載されている。  また、量水器とその一次側に配置した止水栓および二次側に配置した逆止弁とを一つの架台に設置した量水器ユニットが例えば特開平９−２８０９１９号公報、特開平１１−９３２２６号公報、特開２００２−１３１０９７号公報に記載されている。  更に、量水器とその一次側に配置した止水栓、定流量弁および二次側に配置した逆止弁とを一つの架台に設置した量水器ユニットが例えば特開平７−８２７６８号公報に記載されている。
【０００４】
これら従来の量水器ユニットにおいて、量水器を交換するためその前後の制御用機器や配管を架台から取り外すことなく量水器のみを着脱できるようにすることが前記の特開２００２−３１７４７３号公報、特開２００３−２３２０５５号公報、特開平９−２８０９１９号公報、特開平１１−９３２２６号公報に提示されている。  一方、逆止弁は量水器が使用水量を正確に計測するために確実な逆流防止機能を有していることが必要であり、その保守・点検や交換のため取り外さなければならない場合がある。
【０００５】
ところが、前記の特開２００２−３１７４７３号公報、特開２００３−２３２０５５号公報に記載されている量水器ユニットにおいては、量水器を取り外してから逆止弁を架台から取り外すものとしている。  また、前記の特開２００２−１３１０９７号公報、特開平９−２８０９１９号公報、特開平１１−９３２２６号公報、特開平７−８２７６８号公報に記載されている量水器ユニットにおいては、逆止弁をカートリッジ構造とし量水器を取り外してから逆止弁を量水器側の開放面から抜き取るものとしている。
【０００６】
即ち、前記従来の量水器ユニットはいずれも量水器を架台から取り外さなければ逆止弁を取り外すことができない構成となっており、逆止弁の取り外しおよび再装着がきわめて不便且つ面倒である。
【特許文献１】特開２００２−１３１０９７号公報
【特許文献２】特開２００２−３１７４７３号公報
【特許文献３】特開２００３−２３２０５５号公報
【特許文献４】特開平９−２８０９１９号公報
【特許文献５】特開平１１−９３２２６号公報
【特許文献６】特開平７−８２７６８号公報
【発明の開示】
【発明が解決しようとする課題】
【０００７】
本発明は前記従来の量水器ユニットがもっている不便且つ面倒な点を解消することを課題としてなされたものであり、量水器とその二次側に配置した制御用機器である逆止弁とを一つの架台に設置した量水器ユニット、または量水器とその
一次側および二次側に配置した制御用機器である定流量弁および逆止弁とを一つの架台に設置した量水器ユニットについて、量水器を架台から取り外したり、或いは配管を外したりすることなく逆止弁または定流量弁および逆止弁を取り外すことができるようにすることを目的とする。
【課題を解決するための手段】
【０００８】
本発明は量水器とその二次側に配置したカートリッジ構造の逆止弁とが一つの架台に設置されている配管設備の量水器ユニットを次のようにすることによって前記課題を解決することとした。
【０００９】
即ち、取付孔を有し逆止弁をこの取付孔に嵌脱可能に嵌め込んだ保持部材と；
装着孔を有し保持部材をこの装着孔に嵌脱可能に嵌め込んでいるとともに架台に固定されて量水器の二次側端部を結合した取付部材と；を具え、装着孔は量水器の一次側端部および二次側端部の各中心を通る量水器中心線と交叉する方向に設けられていて保持部材が逆止弁と一体に交叉方向に嵌脱されるものとした。
【００１０】
また、本発明は量水器とその一次側に配置したカートリッジ構造の定流量弁および二次側に配置したカートリッジ構造の逆止弁とが一つの架台に設置されている配管設備の量水器ユニットを次のようにすることによって前記課題を解決することとした。
【００１１】
即ち、取付孔を有し定流量弁をこの取付孔に嵌脱可能に嵌め込んだ第一の保持部材、および取付孔を有し逆止弁をこの取付孔に嵌脱可能に嵌め込んだ第二の保持部材と；装着孔を有し第一の保持部材をこの装着孔に嵌脱可能に嵌め込んでいるとともに架台に固定されて量水器の一次側端部を結合した第一の取付部材、および装着孔を有し第二の保持部材をこの装着孔に嵌脱可能に嵌め込んでいるとともに架台に固定されて量水器の二次側端部を結合した第二の取付部材と；を具え、各装着孔は量水器の一次側端部および二次側端部の各中心を通る量水器中心線と交叉する方向に設けられていて第一および第二の保持部材が定流量弁および逆止弁とそれぞれ一体に交叉方向に嵌脱されるものとした。
【００１２】
保持部材を取付部材の装着孔から抜き取ることによって逆止弁または定流量弁が配管系から取り外されるので、これらを保持部材の取付孔から抜き取って必要な保守・点検や部品の交換或いは全体の交換を行ない、取付孔に嵌め込んで保持部材を装着孔に嵌め込み、作業を完了する。  装着孔は量水器中心線と交叉する方向に設けられているので、量水器や他の機器などに衝る心配なく保持部材を嵌脱させることができる。
【発明の効果】
【００１３】
本発明によると、量水器を架台から取り外したり或いは隣接する配管を外したりすることなく、量水器ユニットに組込まれている逆止弁更には定流量弁を取り外し且つ再装着することができ、これらの保守・点検や交換をきわめて容易且つ簡単に行なうことができる。
【発明を実施するための最良の形態】
【００１４】
以下に図面を参照して本発明の実施の形態を説明すると、図１を参照してパイプシャフトの床に固定される架台１の前後両端部にブラケット２，３が直立して設けられており、これらのブラケット２，３に固定保持させた取付部材４３，５１に量水器Ａの一次側端部Ａ１と二次側端部Ａ２とが結合されてるとともに、取付部材４３，５１のそれぞれに定流量弁Ｂおよび逆止弁Ｃが内蔵されて量水器ユニットを構成している。  定流量弁Ｂの一次側である量水器ユニット上流側配管には止水栓と減圧弁とが設置され、逆止弁Ｃの二次側である量水器ユニット下流側配管には蛇口などの端末機器が設けられている。
【００１５】
定流量弁Ｂおよび逆止弁Ｃはそれぞれ第一の保持部材２５および第二の保持部材３４に嵌め込まれ、これらの保持部材２５，３４が量水器Ａの一次側に設置された第一の取付部材４３および二次側に設置された第二の取付部材５１のそれぞれ嵌め込まれることによって取付部材４３，５１に内蔵される。
【００１６】
定流量弁Ｂは図２，図３に示すように円筒形の弁ケース５の出口端に弁口６を有する弁座７が設けられているとともに、入口端に棒状のダンパ体８を有するダンパプレート９が設けられ、先端円錐状の弁体１０が基部をダンパ体８に嵌装し先端部を弁口６に出し入れ可能として設置され、そして弁体１０の基端に形成したフランジ状の弁体プレート１１と弁座７との間に調整ばね１２を装入した構成のカートリッジ構造である。通過流量の増加または減少に伴って弁体プレート１１の前後の圧力差が上昇または低下し、弁口６の有効面積を縮小または拡大させる方向へ弁体１０を移動させて設定流量を維持するように働く。
【００１７】
逆止弁Ｃは図４，図５に示すように円筒形の弁ケース１５の入口端に弁口１６を有する弁座１７が設けられているとともに、出口端に案内筒１８および流出口１９Ａを有する支持座１９が設けられ、円板状の弁体２０がその弁軸２１を案内筒１８に嵌装することにより弁座１７に対向して可動に設置され、そして支持座１９と弁体２０との間に弁ばね２２を装入した構成のカートリッジ構造である。正方向の流れによって弁体２０は弁座１７から離れているが、流れが停止したとき、或いは逆圧を生じたときは弁ばね２２によって弁体２０は逆流開始よりも早く弁座１７に着座して弁口１６を閉止する。
【００１８】
第一の保持部材２５および第二の保持部材３４はそれぞれ図２，図３および図４，図５に示すように、円柱形の保持本体２６，３５にそれらの中心軸線と直交させて円筒形の取付孔２７，３６を設けるとともに、保持本体２６，３５の一端に取付フランジ２８，３７を設け、且つ保持本体２６，３５の外側周面に封水用のＯリング２９，３８を装着したものである。  第一の保持部材２５の取付孔２７は上流側に開放し、その奥底には量水器Ａに連通する通孔３０が設けられている。  第二の保持部材３４の取付孔３６は下流側に開放し、その奥底には量水器Ａに連通する通孔３９が設けられている。
【００１９】
定流量弁Ｂは第一の保持部材２５の取付孔２７に上流側の開放端からほぼ密に嵌め込まれて弁口６を通孔３０に重ねた状態とされ、弁ケース５に重ねて取付孔２７に嵌め込んだ環状の押え部材３１によって保持本体２６の外側周面と実質的に面一の状態で取り付けられている。  また、逆止弁Ｃは第二の保持部材３４の取付孔３６に下流側の開放端からほぼ密に嵌め込まれて弁口１６を通孔３９に重ねた状態とされ、弁ケース１５に重ねて取付孔３６に嵌め込んだ環状の押え部材４０によって保持本体３５の外側周面と実質的に面一の状態で取り付けられている。
【００２０】
次に、第一の取付部材４３および第二の取付部材５１は、それぞれ図２および図４に示すように取付本体４４，５２にそれらの一つの面に開放した円筒形の装着孔４５，５３を設けるとともに、それらの中心軸線い直交させて固定用管４６，５４と結合端部４７，５５とを互いに反対方向へ向けて突設したものである。
【００２１】
第一の取付部材４３は量水器Ａの上流側ブラケット２に設けた差込孔２Ａに固定用管４６を密に挿通させ、この固定用管４６に螺装したナット４８を締付けることによって、ブラケット２の量水器Ａ側の面に取付本体４５を密着させてブラケット２に固定される。  固定用管４６は上流側の配管に接続され、且つ定流量弁Ｂの入口と連通している。  また、結合端部４７は軸線方向可動の端管４７Ａに筒ナット４７Ｂを装着したものであって、端管４７Ａは取付本体４４に突設した案内筒４４Ａに嵌装されている。
【００２２】
第二の取付部材５１は量水器Ａの下流側のブラケット３に設けた差込孔３Ａに固定用管５４を密に挿通させ、この固定用管５４に螺装したナット５６を締付けることによって、ブラケット３の量水器Ａ側の面に取付本体５２を密着させてブラケット３に固定されている。  固定用管５４は端末機器に至る下流側の配管に接続され、且つ逆止弁Ｃの出口と連通している。また、結合端部５５は円弧状の受台である。
【００２３】
第一の保持部材２５は第一の取付部材４３の装着孔４５に密に嵌め込まれ、取付フランジ２８を通して取付本体４４にねじ込んだボルト３２によって取付部材４３に嵌脱可能に嵌装されている。  第二の保持部材３４は第二の取付部材５１の装着孔５３に密に嵌め込まれ、取付フランジ３７を通して取付本体５２にねじ込んだボルト４１によって取付部材５１に嵌脱可能に嵌装されている。  本実施の形態では量水器Ａの一次側端部Ａ１および二次側端部Ａ２の各中心を通る量水器中心線Ｎと直交する方向であって架台１の反対側に開放させて装着孔４５，５３を設けており、このため架台１はもとより、周辺の機器や配管などに邪魔されることなく保持部材２５，３４を嵌脱させ、定流量弁Ｂや逆止弁Ｃを取り外すことができる。
【００２４】
量水器Ａは端管４７Ａ，筒ナット４７Ｂを後退させて二次側端部Ａ２を結合端部５５に載せ、次に袋ナット４７Ｂを一次側端部Ａ１に螺合させてねじ込むことにより、両端面を端管４７Ａの先端面および取付本体５２の側面に圧接させて取付部材４３，５１に架設固定される。  そして、この量水器Ａを取り外すことなく定流量弁Ｃおよび逆止弁Ｂを取り外して保守・点検や交換を行ない、且つ再装着できることは先の説明で明かである。
【００２５】
尚、本実施の形態は請求項２に記載した発明についてのものであるが、量水器Ａの一次側に定流量弁Ｂを具えず二次側に逆止弁Ｃを具えている請求項１に記載した発明は第一の保持部材２５、取付部材４３をもたないものとすることにより実施されることは容易に理解できる。
【００２６】
図６，図７は逆止弁Ｃとその保持部材および取付部材との異なる実施の形態を示している。  逆止弁Ｃは前記実施の形態と同様に円筒形の弁ケース１５の入口端に弁口１６を有する弁座１７が設けられているとともに、その反対端に案内筒１８を有する支持座１９が設けられ、円板状の弁体２０がその弁軸２１を案内筒１８に嵌装することにより弁座１７に対向して可動に設置され、そして支持座１９と弁体２０との間に弁ばね２２を装入したカートリッジ構造であるが、本実施の形態では弁ケース１５に流出口２３が形成されている。
【００２７】
保持部材５９は円柱形の保持本体６０にその中心軸線方向の取付孔６１を先端面に開放させて設けるとともに、保持本体６０の取付孔６１周囲に連通孔６２を設けている。また、この保持本体６０の外側周面に封水用のＯリング６３と雄ねじ６４とが設けられ、更に基端にナット６５が設けられている。
【００２８】
取付部材６８は取付本体６９に量水器中心線Ｎに対して傾斜させた円筒形の装着孔７０を一つの面に開放させて設けるとともに、この取付本体６９側方に固定用管７３と継手管７４とを量水器中心線Ｎ上で互いに反対方向へ向けて突設したものである。  装着孔７０の奥底には固定用管７３の内部に連通する通孔７１が設けられているとともに開放端部に雌ねじ７２が設けられており、固定用管７３は先端面に円弧状の受台からなる結合端部７５を突設させて具えている。
【００２９】
逆止弁Ｃは保持部材５９の取付孔６１に弁口１６を開放端へ向けて密に嵌め込まれている。  また、保持部材５９は装着孔７０に嵌め込まれ、雄ねじ６４を雌ねじ７２にねじ込んで保持本体６０の先端面を装着孔７０の奥底に密着させた状態で取付部材６８に嵌脱可能に嵌装され、弁口１６は通孔７１と重なり、流出口２３は連通孔６２と重なっている。  そして、取付部材６８は量水器Ａの下流側のブラケット３の差込孔３Ｂに固定用管７３を密に嵌装させ、この固定用管７３に螺装したナット７６を締付けることによってブラケット３の量水器Ａと反対側の面に取付本体６９を密着させてブラケット３に固定されている。  継手管７４は端末機器に至る下流側の配管に接続される。
【００３０】
本実施の形態ではブラケット３の外側方であって量水器中心線Ｎに対しブラケット３から遠ざかる方向に傾斜させて装着孔７０が設けられ、且つ架台１の反対側に装着孔７０を開放させているので、架台１はもとより周辺の機器や配管などに邪魔されることなく保持部材５９を嵌脱させ、逆止弁Ｃを取り外すことができる。
【００３１】
尚、量水器Ａの一次側に定流量弁を具えたものについて、この定流量弁を図６，図７に示した傾斜方向に嵌脱する保持部材に取り付けることもできる。
【図面の簡単な説明】
【００３２】
【図１】本発明の実施の形態を示す正面図。
【図２】図１の実施の形態における定流量弁、保持部材、取付部材の拡大縦断面図。
【図３】図２の分解図。
【図４】図１の実施の形態における逆止弁、保持部材、取付部材の拡大縦断面図。
【図５】図４の分解図。
【図６】逆止弁、保持部材、取付部材の異なる実施の形態を示す縦断面図。
【図７】図６の分解図。
【符号の説明】
【００３３】
１  架台、  ２５，３４，５９  保持部材、  ２６，３５，６０  保持本体、  ２７，３６，６１  取付孔、  ４３，５１，６８  取付部材、  ４４，５２，６９  取付本体、  ４５，５３，７０  装着孔、  ４６，５４，７３  固定用管、  ４７，５５，７５  結合端部
【図１】
2005282162.tif 000003
【図２】
2005282162.tif 000004
【図３】
2005282162.tif 000005
【図４】
2005282162.tif 000006
【図５】
2005282162.tif 000007
【図６】
2005282162.tif 000008
【図７】
2005282162.tif 000009